(57)【要約】【課題】画像圧縮技術を用いて保存された画像データを表示する際に、一時的に受信が途絶えても、連続した乱れのない画像を表示する。【解決手段】送信装置１０と表示装置２０からなるシステムにおいて、送信装置１０は画像圧縮技術を用いて圧縮された画像データを表示装置２０に送信する。表示装置はデータを受信して表示するが、その際、画像を復号する際に基準となる画像を記憶しておき、通信が休止した際その画像を画面に表示する。また通信が再開された際にはその画像からデータ通信を始める。これにより、休止中の画像の乱れがなく、また通信再開時にも画面に乱れがなく再開できる。【選択図】　図１
2004135041.tif 000002
【特許請求の範囲】
【請求項１】
画像を復号する際に基準となる画像（以下、基準画像）と、前記基準画像との差分画像を含んで圧縮された画像データを、受信して表示する装置であって、
画像データを受信する受信手段と、受信した画像データを表示する表示手段とを備え、前記受信手段において画像データ受信が途絶え、その後受信を再開する際、
前記表示手段は、基準画像から表示を始めることを特徴とする表示装置。
【請求項２】
画像データ受信が途絶えた際、表示手段は、基準画像を表示することを特徴とする請求項１記載の表示装置。
【請求項３】
画像データ受信が途絶えた際に表示する基準画像は、直前の基準画像である請求項２記載の表示装置。
【請求項４】
画像データ受信が途絶えた際に表示する基準画像と、受信を再開する際に表示を始める基準画像とが同一の基準画像であることを特徴とする請求項２または３記載の表示装置。
【請求項５】
受信を再開する際、画像データを送信する送信装置に対し、送信を開始すべき画像データの情報を通知することを特徴とする請求項１〜４のいずれか記載の表示装置。
【請求項６】
画像を復号する際に基準となる画像（以下、基準画像）と、前記基準画像との差分画像を含んで圧縮された画像データを、受信して表示する装置であって、
画像データを受信する受信手段と、受信した画像データを表示する表示手段とを備え、前記受信手段において画像データ受信が途絶えた際、前記表示手段は、基準画像を表示することを特徴とする表示装置。
【請求項７】
画像データはＭＰＥＧ方式で圧縮されており、基準画像はＭＰＥＧのＩフレームであることを特徴とする請求項１〜６のいずれか記載の表示装置。
【発明の詳細な説明】
【０００１】
【発明の属する技術分野】
本発明は圧縮された画像を受信して表示する装置に関し、データの受信が途絶えた際と受信を再開する際の画面表示に関するものである。
【０００２】
【従来の技術】
近年、ホームネットワークといった家庭内のネットワークの発達により、映像などのデータをやり取りし、それを利用するということが考えられる。
【０００３】
このような通信システムを利用したものとして記憶装置に保存された画像データをネットワークを介して表示装置に転送し、表示装置側でその画像データを表示するシステムなどが知られている。このシステムを用いて記録画像を再生する場合、あらかじめ外部記憶装置に蓄積していたデータを、表示装置に送り、表示装置はこれを受信して逐次表示する。
【０００４】
ところで、上述した記録画像再生システムにおいて、送信装置と表示装置間のデータ通信が不可能になり、表示装置が連続したデータを受け取ることができないという問題が起こることがある。このような場合の対策として、通信が不可能になった際送信を一時休止し、再び通信が可能になったときには休止するときまでに送信したデータの続きのデータから送信を再開する、という技術がある（例えば特許文献１参照。）。
【０００５】
さらに画像のデータは例えばＭＰＥＧといった画像圧縮技術を用いて保存／再生される。この技術では、ひとつひとつの画像に対してそれぞれ完全な画像データが存在するわけではなく、ある一定期間の画像に対して画像を復号する際に基準となる画像（基準画像）がひとつあり、そのあとの画像はその基準画像との差分だけを記録することでデータの圧縮を実現している。
【０００６】
【特許文献１】
特開平７−２０２９８４号公報（第５−６頁）
【０００７】
【発明が解決しようとする課題】
ところで、画像圧縮技術を用いて保存されたデータの受信を行う場合、受信が一時的に途絶えて再び開始する際、表示装置では基準画像がない状態から表示を始めることになり、画像を完全な形で表示できなくなるという問題が生じる。
【０００８】
さらに受信が途絶えている間、表示装置では途絶えた時点の画像を表示することになるが、途絶えたときの画像は受信状態が悪くなっているときに受信した画像であることがあり、その場合乱れた画像を表示しつづけることになる。
【０００９】
本発明はこのような実情に鑑みてなされたものであり、画像データなどの連続するデータを表示しているとき、その途中で一時的に受信が途絶えても表示装置は連続性を失うことなく、また途絶えている間や、受信再開時に画像の乱れがなく、画面表示を行うことを目的とする。
【００１０】
【課題を解決するための手段】
本発明は画像圧縮技術を用いて圧縮された画像データを受信して表示する装置であって、上記表示装置はなんらかの原因でデータ受信が途絶えて再開する際、基準画像から表示を始めることを特徴とする。これによって表示再開時に乱れのない画面を構成することができる。
【００１１】
また本発明は、受信が途絶えて表示が停止している際に基準画像を画面に表示することで、停止中の画面の乱れをなくすことを特徴とする。
【００１２】
さらに表示停止中に表示する画面が直前の基準画面であることを特徴とする。
【００１３】
また、受信停止中の表示画面と受信再開時に表示を始める画面とが同一の基準画像であることを特徴とする。これによって受信再開時に突然別の画面が表示されることがなくなる。
【００１４】
また本発明では受信を再開する際に、画像データを送信する送信装置に送信を開始すべき画像データの情報を通知することで、送信装置が送信するデータと受信装置が受信すべきデータにずれが生じないようにすることができる。
【００１５】
【発明の実施の形態】
以下、図面を参照して本発明の実施形態を説明する。
【００１６】
図１は本発明の表示装置を適用した画像データ再生システムとしての構成を示す図である。
【００１７】
まず送信装置側の構成について説明する。送信装置１０の記憶部１１にはビデオ放送といった画像データが保存されており、変復調部１３で変調し、データを送る。表示装置２０から送られる確認応答信号などの信号は、変復調部で復調したのち判定回路１４で状況を判定し、その後の動作を決定する。それら送信や記憶等の制御は操作部１２がおこなう。
【００１８】
次に表示装置側の構成について説明する。表示装置は送信装置から送られてきた画像データを受信し変復調部２３で復調し操作部２２を通して表示部２４で表示する。また、その際操作部２２はデータを受信したという確認応答の信号を変復調部２３で変調し送信装置に送る。データを受信する際、最新の基準画像を記憶部２０で記憶しておき、データ受信が途絶えたときは、その基準画像を取り出して表示する。それら表示や信号送信等の制御は操作部２２がおこなう。
【００１９】
図１の装置図と図３のフローチャートを参照して、送信装置の処理動作について説明する。図３は送信装置の処理動作を示したものである。まず、操作部１２が記憶部１１から送るべき画像データを取り出して変復調部１３で変調し、表示装置へ送信する（ステップ３０１）。データ送信が成功すれば、表示装置から確認応答信号が返ってくる（３０２）。返ってきた信号は変復調部１３で復調し、判定回路１４で通信を続けてもよいと判定されてデータ送信を続ける。ある一定の時間たっても返ってこなければ判定回路１４はデータ通信が途絶えたと判定しデータ送信を停止する（３０３）。データを送ってよいかどうか確認するために操作部１２は状態確認信号を送信する（３０４）。データ通信ができる状態であれば、再開データ信号が表示装置から返ってくる（３０５）。一定時間反応がないと判定回路１４はデータ通信ができないと判定し３０４へ戻り、再開データ信号が返ってくると判定回路１４はデータ通信が可能であると判定し、再開データ信号の情報に従ってデータ送信を再開する。
【００２０】
図１の装置図と図４、図５のフローチャートを参照して、表示装置の処理動作について説明する。図４は表示装置の処理動作全体、図５は図４におけるデータ表示休止作業を示したものである。送信装置からの画像データを受信し（４０１）、変復調部２３で復調され操作部２２は送信装置に対して受信の確認応答信号を送信する（４０２）。画像データに基準画像が含まれているかどうか判定回路２６が判定し（４０３）、含まれていれば基準画像を記憶装置２１に保存する（４０４）。その受信したデータを表示部２４が表示する（４０５）。
【００２１】
次のデータが来るのを待ち、来るとステップ４０２にもどり、一定時間来なければ判定回路２６が、データ受信ができないと判定し、休止作業４０６に入る（４０５）。
【００２２】
データ受信ができないと判定すると操作部２２は画面の表示を休止し（５０１）、記憶部に保存している基準画像を画面に表示する（５０２）。休止中、送信装置が通信の状態を確認する信号を送っており、表示装置が状態確認信号を受信すると（５０３）、データ通信を始めるべきデータの情報を送信装置に送信し（５０４）、データ通信が再開される。
【００２３】
上記構成において、図２を参照して２装置間の通信について説明する。図２は本実施の形態における送信装置と表示装置の間の通信のシーケンスを表したものである。
【００２４】
まず、送信装置がデータ送信２０１を行う。表示装置はそのデータを受け取り、確認応答信号２０２を送信装置に送る。それを受け取った送信装置は次のデータ送信２０３を行う。
【００２５】
ここでデータ送信２０３がおこなわれたのち、通信が途絶えたとする。表示装置はこのデータを受け取り、確認応答信号２０４を送るが、通信不可能な状態なのでこの信号は送信装置には届かない。確認応答信号が送信装置に届かないので送信装置は通信が不可能であることが分かり、データの送信を休止する（２０５）。表示装置は次のデータが来ないことから通信が不可能であることが分かり、表示を休止し、記憶していた基準画像を表示する（２０６）。
【００２６】
通信の休止中、送信装置は伝送路の状態を確認するために状態確認信号２０７・２０８を送信する。状態確認信号２０７は通信不可能なときに送信されたもので、表示装置まで届かない。通信が可能になった後に送信された状態確認信号２０８は表示装置に届き、表示装置はそれに対して送信を再開すべきデータに関する情報の信号を送信装置に送る（２０９）。
【００２７】
送信装置は再開データ信号２０９によって送信を始めるべきデータが分かり、そこからデータ送信２１１を再開する。表示装置はそれを表示し、前記と同様に確認応答信号２１２を送り、データ通信が続く。
【００２８】
上記実施の形態において、送信装置と表示装置の２装置間の通信を例に説明したが、前記２装置間に中継装置が接続されていてもよい。たとえば図７のようにネットワークに接続されていて、送信装置７１からスイッチ７２を介して無線ルータ７３まで有線ネットワークでデータを伝送し、無線ルータ７３と表示装置７４の間が無線でデータを伝送するといったものが考えられる。
【００２９】
また、上記実施の形態では送信装置は表示装置からの確認応答信号を受信により、表示装置は送信装置からのデータや信号の受信により、伝送路の状態を把握しているが、この方法に限らず他の方法を用いて把握してもよい。
【００３０】
また、本実施の形態では単にデータ通信装置として説明したが、このデータ通信装置の送信装置１０及び表示装置２０を単独にあるいは両方を他のシステム機器に内蔵してもよい。
【００３１】
【発明の効果】
以上説明したように、本発明によれば表示装置でのデータ受信が一時的に途絶えても、連続したデータ表示を行うことができ、受信停止中や受信再開時の画面の乱れもなくすることができる。
【図面の簡単な説明】
【図１】本発明の一実施の形態に係る装置の構成を示すブロック図
【図２】実施の形態における２装置間の通信のシーケンス図
【図３】実施の形態における送信装置の動作を示すフローチャート
【図４】実施の形態における受信装置の動作を示すフローチャート
【図５】実施の形態における受信装置のデータ表示休止作業を示すフローチャート
【図６】本発明に係る装置の接続形態の例を示すネットワーク図
【符号の説明】
１０　送信装置
１１　記憶部
１２　操作部
１３　変復調部
１４　判定回路
２０　表示装置
２１　記憶部
２２　操作部
２３　変復調部
２４　表示部
２６　判定回路
【図１】
2004135041.tif 000003
【図２】
2004135041.tif 000004
【図３】
2004135041.tif 000005
【図４】
2004135041.tif 000006
【図５】
2004135041.tif 000007
【図６】
2004135041.tif 000008